(57)【要約】【課題】シアンインクとマゼンタインクの組み合わせを有する、発色性に優れた２次色画像を記録することが可能なインクセットを提供する。【解決手段】シアンインク及びマゼンタインクの組み合わせを有する水性のインクセットである。シアンインクの色材が、下記一般式（１）で表される化合物であり、マゼンタインクの色材が、下記一般式（２）で表される化合物である。2019131642.tif 000019（Ｒ1、Ｒ2、Ｒ3、及びＲ4は、それぞれ独立に、アルキル基などを表し、Ｒ1、Ｒ2、Ｒ3、及びＲ4の少なくとも１つにはアニオン性基が置換している。）【選択図】なし【特許請求の範囲】
【請求項１】
シアンインク及びマゼンタインクの組み合わせを有する水性のインクセットであって、
前記シアンインクの色材が、下記一般式（１）で表される化合物であり、
前記マゼンタインクの色材が、下記一般式（２）で表される化合物であることを特徴とするインクセット。
2019131642.tif 000017
（前記一般式（１）中、Ｒ1、Ｒ2、Ｒ3、及びＲ4は、それぞれ独立に、アルキル基、シクロアルキル基、アルケニル基、アラルキル基、アリール基、又はヘテロ環基を表し、Ｒ1、Ｒ2、Ｒ3、及びＲ4の少なくとも１つにはアニオン性基が置換している。ａ、ｂ、ｃ、及びｄは、それぞれ独立に、１又は２を表す）
2019131642.tif 000018
（前記一般式（２）中、Ｍは、それぞれ独立に、水素原子、アルカリ金属、アンモニウム、又は有機アンモニウムを表す）
【請求項２】
前記シアンインク中の前記色材の含有量（質量％）が、前記マゼンタインク中の前記色材の含有量（質量％）に対する質量比率で、０．７倍以上２．１倍以下である請求項１に記載のインクセット。
【請求項３】
前記シアンインク及び前記マゼンタインクが、いずれもグリセリンを含有する請求項１又は２に記載のインクセット。
【請求項４】
前記シアンインク中の、前記グリセリンの含有量（質量％）が、前記色材の含有量（質量％）に対する質量比率で、３．９倍以上１２．９倍以下である請求項３に記載のインクセット。
【請求項５】
前記マゼンタインク中の、前記グリセリンの含有量（質量％）が、前記色材の含有量（質量％）に対する質量比率で、４．５倍以上１６．７倍以下である請求項３又は４に記載のインクセット。
【請求項６】
前記シアンインク及び前記マゼンタインクが、いずれもトリエチレングリコールモノブチルエーテルを含有する請求項１乃至５のいずれか１項に記載のインクセット。
【請求項７】
前記シアンインク中の、前記トリエチレングリコールモノブチルエーテルの含有量（質量％）が、インク全質量を基準として、３．０質量％以上６．０質量％以下である請求項６に記載のインクセット。
【請求項８】
前記マゼンタインク中の、前記トリエチレングリコールモノブチルエーテルの含有量（質量％）が、インク全質量を基準として、３．０質量％以上６．０質量％以下である請求項６又は７に記載のインクセット。
【請求項９】
インクをインクジェット方式の記録ヘッドから吐出して記録媒体に画像を記録するインクジェット記録方法であって、
前記インクが、請求項１乃至８のいずれか１項に記載のインクセットを構成する各インクであることを特徴とするインクジェット記録方法。
【発明の詳細な説明】
【技術分野】
【０００１】
本発明は、インクセット、及びそれを用いたインクジェット記録方法に関する。
【背景技術】
【０００２】
インクジェット記録方法では、シアン、マゼンタ、及びイエローの各インクを単色で用いたり、これらのインクの付与量の比率を変えて混色したりすることで、フルカラーの画像を記録する。したがって、これらのインクに対しては、単色の画像を記録する場合だけではなく、２次色の画像を記録する場合においても、発色性の高い画像を記録可能であることが要求される。２次色のなかでも、特に、シアンインクとマゼンタインクを用いて記録されるブルー領域の画像は、自然界に多く存在する色味であるため、写真画質の画像の記録に用いられることが多く、より高い発色性が要求されている。また、得られる記録物は長期間の保存に耐えられるものでなければならない。このため、画像の堅牢性に対する要求も高まっている。
【０００３】
シアンインクの色材としては、発色性の良好なＣ．Ｉ．ダイレクトブルー１９９がこれまで用いられてきた。しかし、オゾンガスによって褪色しやすく、空気にさらされる環境で記録物を長期間放置すると、発色性が大きく低下することが課題となっていた。このため、シアンインクを単色で用いて記録した画像の耐オゾン性を改善すべく、特定の置換基をβ位に有するフタロシアニン染料を含有するシアンインクが提案されている（特許文献１参照）。
【０００４】
また、マゼンタインクの色材としては、発色性の良好なＣ．Ｉ．アシッドレッド２８９がこれまで用いられてきたが、耐光性などに課題があった。このため、耐光性が改善されているとともに、発色性などのその他の性能も良好な、下記一般式（２）で表される化合物が使用されている。
【０００５】
2019131642.tif 000002
（前記一般式（２）中、Ｍは、それぞれ独立に、水素原子、アルカリ金属、アンモニウム、又は有機アンモニウムを表す）
【０００６】
これまでに、シアンインクとマゼンタインクを用いて記録される２次色の画像の発色性を向上させる手法が提案されている。例えば、特定の置換基をα位に有するフタロシアニン染料を含有するシアンインクと、一般式（２）で表される化合物を含有するマゼンタインクとのインクセットが提案されている（特許文献２参照）。
【先行技術文献】
【特許文献】
【０００７】
【特許文献１】特開２００２−２４９６７７号公報
【特許文献２】特開２０１１−０１２１９４号公報
【発明の概要】
【発明が解決しようとする課題】
【０００８】
本発明者らは、特許文献１で提案された色材を用いたシアンインクと、一般式（２）で表される化合物を色材として用いたマゼンタインクとの組み合わせについて検討した。その結果、記録されるブルー領域の画像の発色性が不十分であることがわかった。また、特許文献２で提案されたインクセットを用いた場合であっても、記録されるブルー領域の画像の発色性は近年要求されるレベルに達するものではなく、不十分であることがわかった。
【０００９】
したがって、本発明の目的は、シアンインクとマゼンタインクの組み合わせを有する、発色性に優れた２次色画像を記録することが可能なインクセットを提供することにある。また、本発明の別の目的は、前記インクセットを用いたインクジェット記録方法を提供することにある。
【課題を解決するための手段】
【００１０】
すなわち、本発明によれば、シアンインク及びマゼンタインクの組み合わせを有する水性のインクセットであって、前記シアンインクの色材が、下記一般式（１）で表される化合物であり、前記マゼンタインクの色材が、下記一般式（２）で表される化合物であることを特徴とするインクセットが提供される。
【００１１】
2019131642.tif 000003
（前記一般式（１）中、Ｒ1、Ｒ2、Ｒ3、及びＲ4は、それぞれ独立に、アルキル基、シクロアルキル基、アルケニル基、アラルキル基、アリール基、又はヘテロ環基を表し、Ｒ1、Ｒ2、Ｒ3、及びＲ4の少なくとも１つにはアニオン性基が置換している。ａ、ｂ、ｃ、及びｄは、それぞれ独立に、１又は２を表す）
【００１２】
2019131642.tif 000004
（前記一般式（２）中、Ｍは、それぞれ独立に、水素原子、アルカリ金属、アンモニウム、又は有機アンモニウムを表す）
【発明の効果】
【００１３】
本発明によれば、シアンインクとマゼンタインクの組み合わせを有する、発色性に優れた２次色画像を記録することが可能なインクセットを提供することができる。また、本発明によれば、このインクセットを用いたインクジェット記録方法を提供することができる。
【図面の簡単な説明】
【００１４】
【図１】本発明のインクジェット記録方法に用いられるインクジェット記録装置の一例を模式的に示す図であり、（ａ）はインクジェット記録装置の主要部の斜視図、（ｂ）はヘッドカートリッジの斜視図である。
【発明を実施するための形態】
【００１５】
以下に、好ましい実施の形態を挙げて、さらに本発明を詳細に説明する。本発明においては、化合物が塩である場合は、インク中では塩はイオンに解離して存在しているが、便宜上、「塩を含有する」と表現する。また、インクジェット用の水性インクのことを、単に「インク」と記載することがある。本発明における各種の物性値は、特に断りのない限り常温（２５℃）における値である。
【００１６】
本発明者らは、種々の色材を含有するシアンインクと、一般式（２）で表される化合物を含有するマゼンタインクとを用いて、記録される２次色画像の彩度を高めるための検討を行った。２次色画像の彩度を向上させるには、単色画像の彩度を高めることが必要であることが一般的に知られている。しかし、検討の結果、２次色画像の彩度を向上させるには、単色画像の彩度を高めるだけでなく、シアンインクに用いた色材とマゼンタインクに用いた色材が、分子レベルで十分に混ざり合うことが重要であることが新たに判明した。そして、本発明者らは、一般式（１）で表される化合物を含有するシアンインクと、一般式（２）で表される化合物を含有するマゼンタインクとを組み合わせたインクセットとすることで、記録される２次色画像の彩度（発色性）が向上することを見出した。
【００１７】
フタロシアニン環は平面性が高く、π−πスタッキング相互作用を起こすため、会合しやすい構造である。しかし、一般式（１）で表される化合物はフタロシアニン環のα位に置換基を有するため、β位に置換基を有する従来の染料や、α位の置換基の数が少ない従来の染料に比べて立体反発が大きく、会合体を形成しにくいと考えられる。このため、一般式（１）で表される化合物は、β位に置換基を有する従来の染料などに比べて、色材同士の相互作用が弱いと推測される。
【００１８】
また、一般式（２）で表される化合物は、下記構造式中の点線で示した部位の平面性が高いとともに、全体的にコンパクトであるため、一般式（１）で表される化合物の平面性の高い中央部に近接することができる。さらに、下記構造式中のスルホン基と、一般式（１）中のスルホニル基とが相互作用を起こして引き付けあうため、両者の親和性は高いと考えられる。したがって、一般式（１）で表される化合物を含有するシアンインクと、一般式（２）で表される化合物を含有するマゼンタインクとを用いた場合、他の色材を含有するインクを組み合わせて用いた場合に比べて、シアンインク中の色材同士が凝集しにくい。さらに、シアンインク中の色材と、マゼンタインク中の色材とが凝集しやすいため、記録媒体上で両者がより効率よく混合し、得られる画像の発色性が向上すると考えられる。
【００１９】
2019131642.tif 000005
【００２０】
＜インクセット＞
本発明のインクセットは、シアンインク及びマゼンタインクの組み合わせを有する水性のインクセットである。シアンインクは、一般式（１）で表される化合物を色材として含有する。また、マゼンタインクは、一般式（２）で表される化合物を色材として含有する。本発明のインクセットは、インクジェット用のインクセットとして特に好適である。本発明のインクセットの形態には、上記各インクをそれぞれ独立に収容してなる複数のインクカートリッジのセットや、複数のインクをそれぞれ収容してなる複数のインク収容部を組み合わせて一体的に構成されたインクカートリッジの状態、が含まれる。本発明のインクセットは、シアンインク及びマゼンタインクを組み合わせて用いることができるように構成されていれば、上記の形態に限られるものではなく、どのような形態であってもよい。以下、本発明のインクセットを構成する各インクに含有させる成分などについて説明する。
【００２１】
（色材）
〔シアンインクの色材：一般式（１）で表される化合物〕
本発明のインクセットを構成するシアンインクの色材（染料）は、α位置換型のフタロシアニン染料である下記一般式（１）で表される化合物である。インク中の一般式（１）で表される化合物の含有量（質量％）は、インク全質量を基準として、０．１質量％以上１０．０質量％以下であることが好ましく、１．０質量％以上６．０質量％以下であることがさらに好ましい。
【００２２】
2019131642.tif 000006
（前記一般式（１）中、Ｒ1、Ｒ2、Ｒ3、及びＲ4は、それぞれ独立に、アルキル基、シクロアルキル基、アルケニル基、アラルキル基、アリール基、又はヘテロ環基を表し、Ｒ1、Ｒ2、Ｒ3、及びＲ4の少なくとも１つにはアニオン性基が置換している。ａ、ｂ、ｃ、及びｄは、それぞれ独立に、１又は２を表す）
【００２３】
アルキル基としては、置換又は無置換のアルキル基、及び直鎖又は分岐鎖のアルキル基を挙げることができる。アルキル基の炭素数（置換基を除く）は、１乃至１２であることが好ましく、１乃至８であることがさらに好ましく、１乃至５であることが特に好ましい。置換基としては、ヒドロキシ基、アルコキシ基、シアノ基、アルキルアミノ基、カルバモイル基、スルファモイル基、スルホニルアミノ基、ハロゲン原子、アニオン性基などを挙げることができる。アルキル基としては、メチル基、エチル基、ｎ−プロピル基、イソプロピル基、ｎ−ブチル基、ｔ−ブチル基などの無置換アルキル基；ヒドロキシエチル基、メトキシエチル基、シアノエチル基、トリフルオロメチル基、３−スルホプロピル基、４−スルホブチル基などの置換アルキル基；を挙げることができる。
【００２４】
シクロアルキル基としては、置換又は無置換のシクロアルキル基を挙げることができる。シクロアルキル基の炭素数（置換基を除く）は、５乃至１２であることが好ましい。置換基としては、アニオン性基などを挙げることができる。シクロアルキル基としては、シクロペンチル基、シクロヘキシル基、シクロデシル基などを挙げることができる。
【００２５】
アルケニル基としては、置換又は無置換のアルケニル基を挙げることができる。アルケニル基の炭素数（置換基を除く）は、２乃至１２であることが好ましい。置換基としては、アニオン性基などを挙げることができる。アルケニル基としては、ビニル基、１−プロペニル基などを挙げることができる。
【００２６】
アラルキル基としては、置換又は無置換のアラルキル基を挙げることができる。アラルキル基の炭素数（置換基を除く）は、７乃至１２であることが好ましい。置換基としては、アニオン性基などを挙げることができる。アラルキル基としては、ベンジル基、及び２−フェネチル基などを挙げることができる。
【００２７】
アリール基としては、置換又は無置換のアリール基を挙げることができる。アリール基の炭素数（置換基を除く）は、６乃至１２であることが好ましい。また、置換基としては、アルキル基、アルコキシ基、アルキルアミノ基、カルバモイル基、スルファモイル基、スルホニルアミノ基、ハロゲン原子、アニオン性基などを挙げることができる。アリール基としては、フェニル基、ナフチル基などの無置換アリール基；ｐ−トリル基、ｐ−メトキシフェニル基、ｏ−クロロフェニル基、ｍ−（３−スルホプロピルアミノ）フェニル基、ｍ−スルホフェニル基などの置換アリール基；を挙げることができる。なかでも、フェニル基が特に好ましい。
【００２８】
ヘテロ環基としては、置換又は無置換のヘテロ環基、及び、５員又は６員のヘテロ環基を挙げることができる。ヘテロ環基は、他の環と縮合環を形成していてもよい。置換基としては、アルキル基、アリール基、アルコキシ基、アルキルアミノ基、カルバモイル基、スルファモイル基、スルホニルアミノ基、スルホニル基、アシルアミノ基、ハロゲン原子、アニオン性基などを挙げることができる。へテロ環基を構成する環構造を、ヘテロ環の位置を限定せずに示すと、イミダゾール、ベンゾイミダゾール、ピラゾール、ベンゾピラゾール、トリアゾール、チアゾール、ベンゾチアゾール、イソチアゾール、ベンゾイソチアゾール、オキサゾール、ベンゾオキサゾール、チアジアゾール、オキサジアゾール、ピロール、ベンゾピロール、インドール、イソオキサゾール、ベンゾイソオキサゾール、チオフェン、ベンゾチオフェン、フラン、ベンゾフラン、ピリジン、キノリン、イソキノリン、ピリダジン、ピリミジン、ピラジン、シンノリン、フタラジン、キナゾリン、キノクサリン、トリアジンなどを挙げることができる。
【００２９】
上述の通り、アルキル基、シクロアルキル基、アルケニル基、アラルキル基、アリール基、及びヘテロ環基は、いずれも置換基を有してもよい。さらに置換し得る各基として好適なものは以下の通りである。アニオン性基としては、スルホン酸基、カルボン酸基、リン酸基、ホスホン酸基が好ましい。アルキル部分を有する基の炭素数は１乃至１０であることが好ましい。アリール基としてはフェニル基が好ましい。ハロゲン原子としては、フッ素原子、塩素原子、臭素原子が好ましい。カルバモイル基やスルファモイル基などは環構造を形成していてもよい。また、置換基がさらにこれらの基を置換基として有していてもよい。
【００３０】
Ｒ1、Ｒ2、Ｒ3、及びＲ4は、アルキル基、アリール基、ヘテロ環基が好ましく、アルキル基、アリール基がさらに好ましく、アルキル基が特に好ましく、置換基を有していることも好ましい。
【００３１】
Ｒ1、Ｒ2、Ｒ3、及びＲ4の少なくとも１つにはアニオン性基が置換している。アニオン性基としては、スルホン酸基、カルボン酸基、リン酸基、ホスホン酸基などを挙げることができる。なかでも、カルボン酸基、スルホン酸基が好ましく、スルホン酸基がさらに好ましい。アニオン性基は遊離酸型（Ｈ型）であってもよく、塩型であってもよい。アニオン性基が塩型である場合（塩を形成する場合）のカウンターイオンとしては、アルカリ金属、アンモニウム、有機アンモニウムのカチオンを挙げることができる。アルカリ金属としては、リチウム、ナトリウム、カリウムなどを挙げることができる。有機アンモニウムとしては、メチルアミン、エチルアミンなどの１以上３以下のアルキルアミン類；モノエタノールアミン、ジエタノールアミン、トリエタノールアミン、モノイソプロパノールアミン、ジイソプロパノールアミン、トリイソプロパノールアミンなどの１以上４以下のモノ、ジ又はトリアルカノールアミン類などを挙げることができる。
【００３２】
一般式（１）中、ａ、ｂ、ｃ、及びｄは、それぞれ独立に、１又は２を表す。したがって、ａ＋ｂ＋ｃ＋ｄは４以上８以下である。ａ＋ｂ＋ｃ＋ｄは４乃至６であることが好ましく、ａ、ｂ、ｃ、及びｄのそれぞれが１であることがさらに好ましい。
【００３３】
Ｒ1、Ｒ2、Ｒ3、及びＲ4は、それぞれ独立に、アルキル基であることが好ましく、スルホン酸基などのアニオン性基が置換したアルキル基であることがさらに好ましい。このアルキル基は、直鎖であることが好ましく、その炭素数は１乃至５であることが好ましい。
【００３４】
〔マゼンタインクの色材：一般式（２）で表される化合物〕
本発明のインクセットを構成するマゼンタインクの色材（染料）は、一般式（２）で表される化合物である。インク中の一般式（２）で表される化合物の含有量（質量％）は、インク全質量を基準として、０．１質量％以上１０．０質量％以下であることが好ましく、１．０質量％以上６．０質量％以下であることがさらに好ましい。
【００３５】
2019131642.tif 000007
（前記一般式（２）中、Ｍは、それぞれ独立に、水素原子、アルカリ金属、アンモニウム、又は有機アンモニウムを表す）
【００３６】
アルカリ金属としては、リチウム、ナトリウム、カリウムなどを挙げることができる。有機アンモニウムとしては、メチルアミン、エチルアミンなどの炭素数が１以上３以下のアルキルアミン類；モノエタノールアミン、ジエタノールアミン、トリエタノールアミン、モノイソプロパノールアミン、ジイソプロパノールアミン、トリイソプロパノールアミンなどの炭素数が１以上４以下のモノ、ジ又はトリアルカノールアミン類などを挙げることができる。
【００３７】
シアンインク中の色材の含有量（質量％）は、マゼンタインク中の色材の含有量（質量％）に対する質量比率で、０．７倍以上２．１倍以下であることが好ましい。上記の質量比率が０．７倍未満であると、マゼンタインクの色材がシアンインクの色材に対して相対的に多くなるため、マゼンタインクの色材が凝集しやすくなり、発色性の向上効果がやや低下することがある。一方、上記の質量比率が２．１倍超であると、シアンインクの色材がマゼンタインクの色材に対して相対的に多くなるため、シアンインクの色材が凝集しやすくなり、発色性の向上効果がやや低下することがある。
【００３８】
（水性媒体）
本発明のインクセットを構成する各インクは、水及び水溶性有機溶剤の混合溶媒である水性媒体を含有する水性インクである。水は、脱イオン水（イオン交換水）を用いることが好ましい。インク中の水の含有量（質量％）は、インク全質量を基準として、５０．００質量％以上９５．００質量％以下であることが好ましく、７０．００質量％以上９０．００質量％以下であることがさらに好ましい。
【００３９】
水溶性有機溶剤は、水溶性であれば特に制限はなく、アルコール、多価アルコール、ポリグリコール、グリコールエーテル、含窒素極性溶媒、含硫黄極性溶媒などを用いることができる。インク中の水溶性有機溶剤の含有量（質量％）は、インク全質量を基準として、３．００質量％以上５０．００質量％以下であることが好ましく、１５．００質量％以上４０．００質量％以下であることがさらに好ましい。水溶性有機溶剤の含有量が上記した範囲を外れると、高いレベルのインクの吐出安定性が十分に得られない場合がある。
【００４０】
シアンインク及びマゼンタインクは、いずれもグリセリンを含有することが好ましい。グリセリンは蒸気圧が高いため、インクが記録媒体に付与された後に、水分が蒸発しても色材近傍に残る。また、シアンインク及びマゼンタインクに用いる色材と親和性を有するため、水分蒸発後もグリセリンの存在により色材がその場で凝集しにくく、動くことが可能となる。このため、シアンインクの色材とマゼンタインクの色材が効率よく混ざり合いやすく、記録される画像の発色性をさらに向上させることができる。
【００４１】
シアンインク中の、グリセリンの含有量（質量％）は、色材の含有量（質量％）に対する質量比率で、３．９倍以上１２．９倍以下であることが好ましい。上記の質量比率が３．９倍未満であると、発色性の向上効果がやや低下する場合がある。一方、上記の質量比率が１２．９倍超であると、色材が浸透しやすくなるため、発色性の向上効果がやや低下する場合がある。
【００４２】
マゼンタインク中の、グリセリンの含有量（質量％）は、色材の含有量（質量％）に対する質量比率で、４．５倍以上１６．７倍以下であることが好ましい。上記の質量比率が４．５倍未満であると、発色性の向上効果がやや低下する場合がある。一方、上記の質量比率が１６．７倍超であると、色材が浸透しやすくなるため、発色性の向上効果がやや低下する場合がある。
【００４３】
シアンインク及びマゼンタインクは、いずれもトリエチレングリコールモノブチルエーテルを含有することが好ましい。トリエチレングリコールモノブチルエーテルを含有させることで、記録媒体へのインクの浸透性を高めることができる。このため、記録媒体に付与されたシアンインクとマゼンタインクが記録媒体の内部に広がりやすくなり、これらのインクがより混合されることになる。その結果、シアンインクの色材とマゼンタインクの色材が効率よく混合され、記録される画像の発色性をさらに向上させることができる。
【００４４】
シアンインク中の、トリエチレングリコールモノブチルエーテルの含有量（質量％）は、インク全質量を基準として、３．０質量％以上６．０質量％以下であるであることが好ましい。トリエチレングリコールモノブチルエーテルの含有量が３．０質量％未満であると、発色性の向上効果がやや低下する場合がある。一方、トリエチレングリコールモノブチルエーテルの含有量が６．０質量％超であると、トリエチレングリコールモノブチルエーテルの浸透に伴って色材が浸透しやすくなるため、発色性の向上効果がやや低下する場合がある。
【００４５】
マゼンタインク中の、トリエチレングリコールモノブチルエーテルの含有量（質量％）は、インク全質量を基準として、３．０質量％以上６．０質量％以下であるであることが好ましい。トリエチレングリコールモノブチルエーテルの含有量が３．０質量％未満であると、発色性の向上効果がやや低下する場合がある。一方、トリエチレングリコールモノブチルエーテルの含有量が６．０質量％超であると、トリエチレングリコールモノブチルエーテルの浸透に伴って色材が浸透しやすくなるため、発色性の向上効果がやや低下する場合がある。
【００４６】
（その他の添加剤）
本発明のインクセットを構成する各インクは、必要に応じて、界面活性剤、ｐＨ調整剤、防錆剤、防腐剤、防黴剤、酸化防止剤、還元防止剤、蒸発促進剤、キレート化剤、及びその他の水溶性樹脂など、種々の添加剤を含有してもよい。なお、これらの添加剤は、一般的にインク中の含有量もかなり少なく、本発明の効果への影響も小さい。このため、本発明においては、これらの添加剤は「水溶性有機溶剤」に含めず、比誘電率を算出する対象としない。
【００４７】
＜インクジェット記録方法＞
本発明のインクジェット記録方法は、上記で説明した本発明のインクセットに含まれる各インクをインクジェット方式の記録ヘッドから吐出して記録媒体に画像を記録する方法である。インクを吐出する方式としては、インクに力学的エネルギーを付与する方式や、インクに熱エネルギーを付与する方式が挙げられる。また、本発明においては、インクに熱エネルギーを付与してインクを吐出する方式を採用することが特に好ましい。本発明のインクセットに含まれる各インクを用いること以外、インクジェット記録方法の工程は公知のものとすればよい。
【００４８】
図１は、本発明のインクジェット記録方法に用いられるインクジェット記録装置の一例を模式的に示す図であり、（ａ）はインクジェット記録装置の主要部の斜視図、（ｂ）はヘッドカートリッジの斜視図である。インクジェット記録装置には、記録媒体３２を搬送する搬送手段（不図示）、及びキャリッジシャフト３４が設けられている。キャリッジシャフト３４にはヘッドカートリッジ３６が搭載可能となっている。ヘッドカートリッジ３６は記録ヘッド３８及び４０を具備しており、インクカートリッジ４２がセットされるように構成されている。ヘッドカートリッジ３６がキャリッジシャフト３４に沿って主走査方向に搬送される間に、記録ヘッド３８及び４０から記録媒体３２に向かってインク（不図示）が吐出される。そして、記録媒体３２が搬送手段（不図示）により副走査方向に搬送されることによって、記録媒体３２に画像が記録される。
【実施例】
【００４９】
以下、実施例及び比較例を挙げて本発明をさらに詳細に説明するが、本発明は、その要旨を超えない限り、下記の実施例によって何ら限定されるものではない。なお、成分量に関して「部」及び「％」と記載しているものは特に断らない限り質量基準である。
【００５０】
＜色材の合成＞
（化合物Ａ）
特開２００２−２４９６７７号公報の記載を参考にして、遊離酸型として下記式（ａ）で表される化合物を合成した。その後、常法にしたがってイオン交換を行い、ナトリウム塩型の化合物（この化合物を「化合物Ａ」と記載する）を得た。
【００５１】
2019131642.tif 000008
【００５２】
（化合物Ｂ）
特開２００２−２４９６７７号公報の記載を参考にして、遊離酸型として下記式（ｂ）で表される化合物を合成した。その後、常法にしたがってイオン交換を行い、ナトリウム塩型の化合物（この化合物を「化合物Ｂ」と記載する）を得た。
【００５３】
2019131642.tif 000009
【００５４】
（化合物Ｃ）
特開２００７−１９１７０７号公報の記載を参考にして、遊離酸型として下記式（ｃ）で表される化合物を合成した。その後、常法にしたがってイオン交換を行い、ナトリウム塩型の化合物（この化合物を「化合物Ｃ」と記載する）を得た。化合物（ｃ）は、「３位、３’位」の少なくとも１つに置換基を有し、ｘは約２．０、ｙは約２．０である。
【００５５】
2019131642.tif 000010
【００５６】
（化合物Ｄ）
特開平１１−２０９６７３号公報の記載を参考にして、遊離酸型として下記式（ｄ）で表される化合物を合成した。その後、常法にしたがってイオン交換を行い、リチウム塩型の化合物（この化合物を「化合物Ｄ」と記載する）を得た。
【００５７】
2019131642.tif 000011
【００５８】
＜インクの調製＞
表１−１、１−２、２−１、及び２−２の上段に示す各成分（単位：％）を混合し、十分撹拌した後、ポアサイズが０．２μｍであるミクロフィルター（富士フイルム製）にて加圧ろ過して各インクを調製した。表１−１、１−２、２−１、及び２−２の下段にはインクの特性を示した。表１−１、１−２、２−１、及び２−２中の「アセチレノールＥ１００」は、川研ファインケミカル製のノニオン性界面活性剤の商品名であり、「プロキセルＧＸＬ（Ｓ）」はアーチケミカルズ製の防腐剤の商品名である。
【００５９】
2019131642.tif 000012
【００６０】
2019131642.tif 000013
【００６１】
2019131642.tif 000014
【００６２】
2019131642.tif 000015
【００６３】
＜評価＞
表３に示す各インクを組み合わせてインクセットとし、以下に示す評価を行った。各インクを充填したインクカートリッジを、熱エネルギーによりインクを吐出する記録ヘッドを搭載したインクジェット記録装置（商品名「ＰＩＸＵＳ  Ｐｒｏ  ９０００」、キヤノン製）にセットした。マゼンタインクはライトマゼンタインクのポジション、シアンインクはブラックインクのポジションにそれぞれセットした。本実施例においては、１／６００インチ×１／６００インチの単位領域に２２ｎｇのインクを付与して記録したベタ画像を「記録デューティが１００％である」と定義する。そして、マゼンタインク及びシアンインクの付与量の比率（質量基準）を１：１として、記録デューティを２０〜２００％の間で２０％刻みとした１０種の２次色（ブルー）のベタ画像を記録媒体に記録して記録物を得た。記録媒体としては、商品名「キヤノン写真用紙・光沢プロ［プラチナ］」（キヤノン製）を用いた。得られた記録物におけるベタ画像について、分光光度計（商品名「Ｓｐｅｃｔｏｒｏｌｉｎｏ」、Ｇｒｅｔａｇ  Ｍａｃｂｅｔｈ製）を用いて、光源：Ｄ５０、視野：２°の条件でＬ*、ａ*、ｂ*を測定した。得られたＬ*、ａ*、ｂ*から、彩度Ｃ*＝（ａ*2＋ｂ*2）*1/2の式に基づいて彩度（Ｃ*）を求め、以下に示す評価基準にしたがって発色性を評価した。本発明においては、下記の評価基準で「ＡＡ」、「Ａ」及び「Ｂ」を許容できるレベル、「Ｃ」を許容できないレベルとした。評価結果を表３に示す。
ＡＡ：Ｃ*が７７以上であった。
Ａ：Ｃ*が７６以上７７未満であった。
Ｂ：Ｃ*が７５以上７６未満であった。
Ｃ：Ｃ*が７５未満であった。
【００６４】
2019131642.tif 000016
【図１】
2019131642.tif 000020